(57)【要約】【課題】  風量、静圧特性を変化させることが可能なファンを有する空気調和機を提供することを目的とする。【解決手段】  渦巻型のケーシングと、該ケーシングに収容される羽根車と、該羽根車の回転軸方向から吸入した空気を遠心方向に吐出するための通風路を有した遠心ファンを具備し、前記ケーシングと前記羽根車との相対位置を変更することによって、ノーズ隙間を変更するノーズ隙間変更手段を有することを特徴とする。【選択図】      図３
2008208798.tif 000002
【特許請求の範囲】
【請求項１】
渦巻型のケーシングと、該ケーシングに収容される羽根車と、該羽根車の回転軸方向から吸入した空気を遠心方向に吐出するための通風路を有した遠心ファンを具備し、
前記ケーシングと前記羽根車との相対位置を変更することによって、ノーズ隙間を変更するノーズ隙間変更手段を有することを特徴とする空気調和機。
【請求項２】
前記ノーズ隙間変更手段は、前記ケーシングを吐出口方向へ平行移動させて、前記ケーシングと前記羽根車との相対位置を変更することにより、前記遠心ファンの吐出口のノーズ隙間を変更するノーズ隙間変更手段を有することを特徴とする請求項１に記載の空気調和機。
【請求項３】
前記ノーズ隙間変更手段は、前記ケーシングを前記羽根車の回転軸と平行な軸線回りに偏心移動させて、前記ケーシングと前記羽根車との相対位置を変更することにより、前記遠心ファンの吐出口のノーズ隙間を変更するノーズ隙間変更手段を有することを特徴とする請求項１に記載の空気調和機。
【請求項４】
前記ノーズ隙間変更手段は、前記羽根車を吐出口方向へ平行移動させて、前記ケーシングと前記羽根車との相対位置を変更することにより、前記遠心ファンの吐出口のノーズ隙間を変更するノーズ隙間変更手段を有することを特徴とする請求項１に記載の空気調和機。
【請求項５】
前記ノーズ隙間変更手段は、前記羽根車を前記羽根車の回転軸と平行な軸線回りに偏心移動させて、前記ケーシングと前記羽根車との相対位置を変更することにより、前記遠心ファンの吐出口のノーズ隙間を変更するノーズ隙間変更手段を有することを特徴とする請求項１に記載の空気調和機。
【請求項６】
前記ノーズ隙間変更手段は、前記ケーシングのノーズ部分がキャタピラ状の帯状の変形部材で構成され、該ノーズ部分を変形させる手段を有することにより、前記遠心ファンの吐出口のノーズ隙間を変更するノーズ隙間変更手段を有することを特徴とする請求項１に記載の空気調和機。
【請求項７】
運転モードに合わせてノーズ隙間を変更することが可能な前記遠心ファンを有する請求項１から請求項６のいずれかに記載の空気調和機。
【発明の詳細な説明】
【技術分野】
【０００１】
本発明は、換気等のために用いるファンを有する空気調和機に関するものである。
【背景技術】
【０００２】
例えば、家庭用壁掛け空気調和機の室内機には、換気等のために用いるファンが設けられている。このファンは、一つで、室内空気の排気、室外空気の給気、室内空気吸込口に取り付けられたフィルタに付着した埃の吸引等、多用途に用いられることがある。その際、その用途に応じて必要な風量、静圧特性や騒音への要求が異なるため、最適なファンの性能で運転できない。
【０００３】
ファンの風速、風量の改善を目的とする方策として、吐出口の反ノーズ側内部にテーパ面を形成することにより吐出空気の圧力減殺の抑制を目的とする方法（例えば特許文献１参照）や、吐出口近傍のケーシング両側壁に整流ガイドを設けることにより風速、風量の増加等を目的とする方法（例えば特許文献２参照）等が講じられる。
また、ファンの特性を変更する方策として、ケーシング側面を帯状バネや複数の可動壁で構成してその巻取り長を調整することで拡がり角を変化させる方法（例えば特許文献３参照）や、ファンの吐出口の開口部の面積をハンドルにより可変とする方法（例えば特許文献４参照）が講じられる。
【特許文献１】特開平９−２２８９９７号公報
【特許文献２】特開平１１−３２４９９３号公報
【特許文献３】特開２００４−２７０５７７号公報
【特許文献４】特開２００５−１８８４２６号公報
【発明の開示】
【発明が解決しようとする課題】
【０００４】
しかし上記特許文献１、２の方法では、テーパ部やガイドは固定されているため、ファンの用途に合わせた静圧、風量特性に変更することができない。
また、上記特許文献３、４の方法では、摺動部はケーシング側面であるため、磨耗により漏れが生じやすく、漏れが生じた場合には効率が低下する。また、ケーシング可動時には異音が発生する等の問題がある。
さらに、ノーズ隙間が固定されていることにより、ノーズと羽根車の干渉により発生するＮＺ音について、ノーズと羽根の距離が一定のため、改善が望めないという問題がある。
上記の理由から、ファンの効率や騒音を考慮した上でのファンの風量、静圧特性を変化させる方策が必要となる。
【０００５】
本発明は、上記問題を解決するためになされたもので、風量、静圧特性を変化させることが可能なファンを有する空気調和機を提供することを目的とする。
【課題を解決するための手段】
【０００６】
上記課題を解決するために、本発明は以下の手段を採用する。
すなわち、本発明にかかる空気調和機は、渦巻型のケーシングと、該ケーシングに収容される羽根車と、該羽根車の回転軸方向から吸入した空気を遠心方向に吐出するための通風路を有した遠心ファンを具備し、前記ケーシングと前記羽根車との相対位置を変更することによって、ノーズ隙間を変更するノーズ隙間変更手段を有することを特徴とする。
【０００７】
このような空気調和機によれば、前記ケーシングと前記羽根車との相対位置を変更する手段を有することにより、ノーズ隙間の変更を可能とし、ファンの用途に応じて必要な風量、静圧特性を確保することが可能であり、かつ、騒音を制御することが可能である。
ファンの用途としては、例えば、常時換気のための室内空気の排気、常時換気のための室外空気の給気、排煙および脱臭のための室内空気の排気、室内空気吸込口に取り付けられたフィルタに付着した埃の吸引等が挙げられる。
常時換気のための室内空気の排気および常時換気のための室外空気の給気については、低静圧、大風量、低騒音のファン特性が必要とされる。
排煙および脱臭のための室内空気の排気については、大風量のファン特性は要求されるが、運転時間も短いため、常時換気時ほど低騒音のファン特性は必要とされない。
室内空気吸込口に取り付けられたフィルタに付着した埃の吸引については、高静圧のファン特性が必要とされるが、運転時間も短いため、常時換気時ほど低騒音のファン特性は必要とされない。
【０００８】
また、本発明にかかる空気調和機は、前記ケーシングを吐出口方向へ平行移動させて、前記ケーシングと前記羽根車との相対位置を変更することにより、前記遠心ファンの吐出口のノーズ隙間を変更するノーズ隙間変更手段を有することを特徴とする。
【０００９】
このような空気調和機によれば、前記ケーシングを平行移動させることにより、ノーズ隙間の変更を可能とし、ファンの用途に応じて必要な風量、静圧特性を確保することが可能であり、かつ、騒音を制御することが可能である。
また、このような空気調和機によれば、スペースの制約がある空気調和機室内ユニット内に前記ノーズ隙間変更手段を組み込むことが容易である。
また、ファンの用途に応じて給気ダクトの流路の切り替えを行うためのダンパーと、前記ノーズ隙間変更手段を連動させることが可能である。このような空気調和機によれば、前記ダンパーの動作によって、給気ダクトの流路の切り替えと、ファンの特性の変更を行うことが可能となり、制御の容易化を図ることが可能である。
【００１０】
また、本発明にかかる空気調和機は、前記ケーシングを前記羽根車の回転軸と平行な軸線回りに偏心移動させて、前記ケーシングと前記羽根車との相対位置を変更することにより、前記遠心ファンの吐出口のノーズ隙間を変更するノーズ隙間変更手段を有することを特徴とする。
【００１１】
このような空気調和機によれば、前記ケーシングを偏心移動させることにより、ノーズ隙間の変更を可能とし、ファンの用途に応じて必要な風量、静圧特性を確保することが可能であり、かつ、騒音を制御することが可能である。
また、このような空気調和機によれば、スペースの制約がある空気調和機室内ユニット内に前記ノーズ隙間変更手段を組み込むことが容易である。
【００１２】
また、本発明にかかる空気調和機は、前記羽根車を吐出口方向へ平行移動させて、前記ケーシングと前記羽根車との相対位置を変更することにより、前記遠心ファンの吐出口のノーズ隙間を変更する手段を有することを特徴とする。
【００１３】
このような空気調和機によれば、前記羽根車を平行移動させることにより、ノーズ隙間の変更を可能とし、ファンの用途に応じて必要な風量、静圧特性を確保することが可能であり、かつ、騒音を制御することが可能である。
また、このような空気調和機によれば、スペースの制約がある空気調和機室内ユニット内に前記ノーズ隙間変更手段を組み込むことが容易である。
また、ファンの用途に応じて給気ダクトの流路の切り替えを行うためのダンパーと、前記ノーズ隙間変更手段を連動させることが可能である。このような空気調和機によれば、前記ダンパーの動作によって、給気ダクトの流路の切り替えと、ファンの特性の変更を行うことが可能となり、制御の容易化を図ることが可能である。
さらに前記ケーシングは固定されているため、排気ダクトの接続が容易となる。また、摺動部が少ないことより、磨耗によるケーシングからの漏れが生じにくい。
【００１４】
また、本発明にかかる空気調和機は、前記羽根車を前記羽根車の回転軸と平行な軸を中心として偏心移動させて、前記ケーシングと前記羽根車との相対位置を変更することにより、前記遠心ファンの吐出口のノーズ隙間を変更する手段を有することを特徴とする。
【００１５】
このような空気調和機によれば、前記羽根車を偏心移動させることにより、ノーズ隙間の変更を可能とし、ファンの用途に応じて必要な風量、静圧特性を確保することが可能であり、かつ、騒音を制御することが可能である。
また、このような空気調和機によれば、スペースの制約がある空気調和機室内ユニット内に前記ノーズ隙間変更手段を組み込むことが容易である。
さらに前記ケーシングは固定されているため、排気ダクトの接続が容易となる。また、摺動部が少ないことより、磨耗によるケーシングからの漏れが生じにくい。
【００１６】
また、本発明にかかる空気調和機は、前記ケーシングのノーズ部分がキャタピラ状の帯状の変形部材で構成され、該ノーズ部分を変形させる手段を有することにより、前記遠心ファンの吐出口のノーズ隙間を変更する手段を有することを特徴とする。
【００１７】
このような空気調和機によれば、前記ノーズ部分を変形させることにより、ノーズ隙間の変更を可能とし、ファンの用途に応じて必要な風量、静圧特性を確保することが可能であり、かつ、騒音を制御することが可能である。
また、このような空気調和機によれば、スペースの制約がある空気調和機室内ユニット内に前記ノーズ隙間変更手段を組み込むことが容易である。
さらに前記ケーシングは固定されているため、排気ダクトの接続が容易となる。
【００１８】
また、本発明にかかる各空気調和機は、運転モードに合わせてノーズ隙間を変更することが可能な前記遠心ファンを有することを特徴とする。
【００１９】
このような空気調和機によれば、運転モードに応じて風量および静圧特性を変更させることにより、１台のファンに多用途を持たせることが可能となり、空気調和機室内ユニット内の省スペース化を図ることが可能となる。
【発明の効果】
【００２０】
ファンのノーズ隙間を変化させることにより、風量、静圧特性を変化させることが可能なファンを有する空気調和機を提供することが可能となる。
【発明を実施するための最良の形態】
【００２１】
［第１の実施形態］
以下に、本発明に係る空気調和機の一実施形態について、図面を参照して説明する。
図１は、本実施形態に係る空気調和機の室内ユニットの内部レイアウトを示した斜視図である。
図２は、図１の室内ユニットにおける遠心ファンと給気ホースの接続状態を表した概略図である。
空気調和機の室内ユニット１は、遠心ファン２と、遠心ファン２に接続される排気ホース３と、給気ホース４a，４bを備えている。給気ホース４a，４bは、遠心ファン２の用途に応じて切り替えられる。
図３には、遠心ファン２の横断面が示されている。
遠心ファン２は、渦巻型のケーシング１０と、ケーシング１０に収容される羽根車１１と、羽根車の回転軸１２の軸線方向から吸入した空気を遠心方向に吐出するための通風路１３を有している。
ケーシング１０の巻き始め側と巻き終わり側との重なる部分には、ノーズ１４が設けられている。このノーズ１４部分におけるケーシング１０の内壁と羽根車１１との間には、ノーズ隙間が形成されている。
【００２２】
図１８、図１９は、ノーズ隙間を拡げる前後について、周波数と音圧の関係を表している。ここで図１８は１／３オクターブ分析、図１９は狭帯域分析したものである(ＪＩＳ  Ｃ  １５１３参照)。ここで２ｋＨ強でピークを示す周波数は、羽根車の回転数に羽枚数を乗じた値を示し通称ＮＺ音と呼ばれる(周波数ｆ＝回転数Ｎｒｐｍ×羽枚数Ｚ／６０)。このＮＺ音は当該遠心ファンにおいてノーズと羽根車羽根の干渉によって発生すると考えられ、聴感上も不快な騒音であるとともに図１８に示すように騒音のオーバーオール値にも影響を与える。
図１９においてノーズ隙間を拡大した場合にそのピークの値は４ｄB低減する。
これより、同一回転数においては、ノーズ隙間を広くすることにより、音圧を低くすることが可能であることがわかる。
一方で図２０に示すように、ノーズ隙間を狭くすることにより騒音は大きくなるが、高静圧が得られる傾向がある。そこでノーズ隙間を変更することにより高静圧を要する用途、低騒音を要する用途に応じて同一のファンで使い分けることが可能になる。
【００２３】
図４乃至図８は、ノーズ１４と羽根車１１との距離であるノーズ隙間を変更することを目的として、ケーシング１０を吐出口方向へ平行移動させるための実施例を表している。
【００２４】
図４は、磁石を取り付けたケーシングを電磁石にて平行移動させる実施例を表している。
本実施例に係る空気調和機は、遠心ファン２と、ケーシング１０に取り付けられたばね２０および磁石２１と、磁石２１の近傍に設置された磁性材料２２と、磁性材料２２に巻き付けられたコイル２３と、コイル２３に通電するための電気回路２４と、ケーシング１０の移動方向を規制するためのガイド１５を備えている。
ノーズ隙間を変更する場合には、先ず、電気回路２４およびコイル２３に通電させることにより、磁性材料２２に磁力を発生させる。これにより、ばね２０によって遠心ファン２の吐出口方向に引っ張られているケーシング１０が磁性材料２２側に引き付けられる。また、電気回路２４およびコイル２３への通電を止めることにより、磁性材料２２は磁力を失い、ケーシング１０がばね２０側に引っ張られる。
ここで、ケーシング１０はガイド１５によって移動する方向が規制されている。また、羽根車１１は空気調和機室内ユニット１に対して固定されているため、ケーシング１０と羽根車１１との相対位置が変化し、ノーズ隙間を変更することができる。
なお、ばね２０と磁石２１とは、互いにケーシング１０の略反対側に取り付けられていればよく、ばね２０と磁石２１の取り付け位置が入れ替わっても同様の効果が得られる。
【００２５】
図５は、ケーシングを偏心カムと帯ばねにて平行移動させる実施例を表している。
本実施例に係る空気調和機は、遠心ファン２と、ケーシング１０の近傍に設置された偏心カム３０および帯ばね３１と、ケーシング１０の移動方向を規制するためのガイド１５を備えている。
ノーズ隙間を変更する場合には、偏心カム３０を回転させ、帯ばね３１によって遠心ファン２の吐出口方向に押し付けられているケーシング１０を移動させる。
ここで、ケーシング１０はガイド１５によって移動する方向が規制されている。また、羽根車１１は空気調和機室内ユニット１に対して固定されているため、ケーシング１０と羽根車１１との相対位置が変化し、ノーズ隙間を変更することができる。
なお、偏心カム３０と帯ばね３１は互いにケーシング１０の略反対側に取り付けられていればよく、上記例において、偏心カム３０と帯ばね３１の取り付け位置が入れ替わっても同様の効果が得られる。
【００２６】
図６は、ケーシングをラックアンドピニオンにて平行移動させる実施例を表している。
本実施例に係る空気調和機は、遠心ファン２と、ケーシング１０に取り付けられたラック４０と、ラック４０に対応するピニオン４１と、ケーシング１０の移動方向を規制するためのガイド１５を備えている。
ノーズ隙間を変更する場合には、ピニオン４１を回転させ、ラック４０を遠心ファン２の吐出口方向または逆方向に水平移動させることにより、ケーシング１０を移動させる。
ここで、ケーシング１０はガイド１５によって移動する方向が規制されている。また、羽根車１１は空気調和機室内ユニット１に対して固定されているため、ケーシング１０と羽根車１１との相対位置が変化し、ノーズ隙間を変更することができる。
なお、上記例において、ラック４０が遠心ファン２の吐出口方向に沿って水平方向に取り付けられていれば同様の効果が得られる。
【００２７】
図７は、給気ダクト切り替えダンパーにピニオンを取り付けることにより、給気ダクトの切り替え動作に連動させて、ケーシングを平行移動させる実施例を表している。
本実施例に係る空気調和機は、遠心ファン２と、給気ダクト４a，４bを切り替えるためのダンパー５１と、ケーシング１０に取り付けられたラック５２と、ラック５２に対応し、かつダンパー５１の回転軸に取り付けられたピニオン５３と、ケーシング１０の移動方向を規制するためのガイド１５を備えている。
ノーズ隙間を変更する場合には、ダンパー５１を動作させることによりピニオン５３が回転し、ラック５２を遠心ファン２の吐出口方向または逆方向に水平移動させることにより、ケーシング１０を移動させる。
ここで、ケーシング１０はガイド１５によって移動する方向が規制されている。また、羽根車１１は空気調和機室内ユニット１に対して固定されているため、ケーシング１０と羽根車１１との相対位置が変化し、ノーズ隙間を変更することができる。
なお、上記例において、ラック５２が遠心ファン２の吐出口方向と水平方向に取り付けられていれば同様の効果が得られる。
【００２８】
図８は、ケーシングをスライドダンパーに連動させて平行移動させる実施例を表している。
本実施例に係る空気調和機は、遠心ファン２と、ケーシング１０に取り付けられた偏心カム６１と、偏心カム６１に取り付けられ、給気ダクト４a，４bを切り替えるためのスライドダンパー６２を備えている。
ノーズ隙間を変更する場合には、偏心カム６１を回転させ、給気ダクト４a，４bを切り替えると共に、ケーシング１０を移動させる。
ここで、羽根車１１は空気調和機室内ユニット１に対して固定されているため、ケーシング１０と羽根車１１との相対位置が変化し、ノーズ隙間を変更することができる。
【００２９】
上記の図４乃至図８の実施例にて示したとおり、本実施形態にかかる空気調和機によれば、ケーシング１０を平行移動させることにより、ノーズ隙間の変更を可能とし、ファンの用途に応じて必要な風量、静圧特性を確保することが可能であり、かつ、騒音を制御することが可能である。
また、このような空気調和機によれば、スペースの制約がある空気調和機室内ユニット１内にノーズ隙間変更手段を組み込むことが容易である。
また、例えば、図７および図８に示すとおり、ファンの用途に応じて給気ダクトの流路の切り替えを行うためのダンパーと、ノーズ隙間変更手段を連動させることが可能である。このような空気調和機によれば、ダンパーの動作によって、給気ダクトの流路の切り替えおよびファンの特性の変更を行うことが可能となり、制御の容易化を図ることが可能である。
【００３０】
〔第２の実施形態〕
次に本発明の第２の実施形態について説明する。
本実施形態にかかる空気調和機が、第１の実施形態と異なる点は、羽根車１１の回転軸１２と平行な軸線回りにケーシング１０を偏心移動させて、ケーシング１０と羽根車１１との相対位置を変更することにより、遠心ファン２の吐出口のノーズ隙間を変更している点である。
【００３１】
図９は、ケーシングに取り付けたバーを動かすことによりケーシングを偏心移動させる実施例を表している。
本実施例に係る空気調和機は、遠心ファン２と、ケーシング１０の中心軸から偏心させた位置に取り付けられたバー７０を備えている。
ノーズ隙間を変更する場合には、ケーシング１０に取り付けたバー７０を動かすことによって、ケーシング１０を偏心移動させる。
ここで、羽根車１１は空気調和機室内ユニット１に対して固定されているため、ケーシング１０と羽根車１１との相対位置が変化し、ノーズ隙間を変更することができる。
【００３２】
図１０は、ケーシングをケーシングに固定された歯車により偏心移動させる実施例を表している。
本実施例に係る空気調和機は、遠心ファン２と、ケーシング１０の中心軸から偏心させた位置に固定された歯車７１と、歯車７１に外力を加えるための歯車７２を備えている。
ノーズ隙間を変更する場合には、歯車７２を回転させることにより、歯車７１の取り付けられたケーシング１０を偏心移動させる。
ここで、羽根車１１は空気調和機室内ユニット１に対して固定されているため、ケーシング１０と羽根車１１との相対位置が変化し、ノーズ隙間を変更することができる。
【００３３】
図１１は、ケーシングを給気ダクト切り替えダンパーに連動させて偏心移動させる実施例を表している。
本実施例に係る空気調和機は、遠心ファン２と、給気ダクト４a，４bを切り替えるためのダンパー５１と、ダンパー５１の回転軸に取り付けられた歯車７４と、ケーシング１０の中心軸から偏心させた位置に固定された歯車７３を備えている。
ノーズ隙間を変更する場合には、ダンパー５１を動作させることにより歯車７４が回転し、歯車７１の取り付けられたケーシング１０を偏心移動させる。
ここで、羽根車１１は空気調和機室内ユニット１に対して固定されているため、ケーシング１０と羽根車１１との相対位置が変化し、ノーズ隙間を変更することができる。
【００３４】
上記の図９乃至図１１の実施例にて示したとおり、本実施形態にかかる空気調和機によれば、ケーシング１０を偏心移動させることにより、第１の実施形態と同様に、ファンの用途に応じた風量、静圧特性の確保、騒音の制御、省スペース化を図ることが可能である。
【００３５】
〔第３の実施形態〕
次に本発明の第３の実施形態について説明する。
本実施形態にかかる空気調和機が、前述の各実施形態と異なる点は、羽根車１１を吐出口方向へ平行移動させて、ケーシング１０と羽根車１１との相対位置を変更することにより、遠心ファン２の吐出口のノーズ隙間を変更している点である。
【００３６】
図１２、図１３は、ノーズ１４と羽根車１１との距離であるノーズ隙間を変更することを目的として、羽根車１１を吐出口方向へ平行移動させるための実施例を表している。
【００３７】
図１２は、羽根車をラックアンドピニオンにて平行移動させる実施例を表している。
本実施例に係る空気調和機は、遠心ファン２と、ケーシング１０に取り付けられたラック７５と、ラック７５に対応するピニオン７６を備えている。
ノーズ隙間を変更する場合には、ピニオン７６を回転させ、ラック７５を遠心ファン２の吐出口方向または逆方向に水平移動させることにより、羽根車１１を移動させる。
ここで、ケーシング１０は空気調和機室内ユニット１に対して固定されているため、ケーシング１０と羽根車１１との相対位置が変化し、ノーズ隙間を変更することができる。
なお、上記例において、ラック７５が遠心ファン２の吐出口方向と水平方向に取り付けられていれば同様の効果が得られる。
【００３８】
図１３は、羽根車を給気ダクト切り替えダンパーに連動させて平行移動させる実施例を表している。
本実施例に係る空気調和機は、遠心ファン２と、給気ダクト４a，４bを切り替えるためのダンパー５１と、羽根車１１に取り付けられたラック５２と、ラック５２に対応し、かつダンパー５１の回転軸に取り付けられたピニオン５３を備えている。
ノーズ隙間を変更する場合には、ダンパー５１を動作させることによりピニオン５３が回転し、ラック５２を遠心ファン２の吐出口方向または逆方向に水平移動させることにより、羽根車１１を移動させる。
ここで、ケーシング１０は空気調和機室内ユニット１に対して固定されているため、ケーシング１０と羽根車１１との相対位置が変化し、ノーズ隙間を変更することができる。
なお、上記例において、ラック５２が遠心ファン２の吐出口方向と水平方向に取り付けられていれば同様の効果が得られる。
【００３９】
上記の図１２および図１３の実施例にて示したとおり、本実施形態にかかる空気調和機によれば、羽根車１１を平行移動させることにより、前述の各実施形態と同様に、ファンの用途に応じた風量、静圧特性の確保、騒音の制御、省スペース化、給気ダクト切り替え用のダンパー５２と連動させることによる制御の容易化を図ることが可能である。
さらにケーシング１０は固定されているため、排気ダクト３との接続が容易となる。また、摺動部が少ないことより、磨耗によるケーシング１０からの漏れが生じにくく、ファンの効率化を図ることが可能である。
【００４０】
〔第４の実施形態〕
次に本発明の第４の実施形態について説明する。
本実施形態にかかる空気調和機が、前述の各実施形態と異なる点は、羽根車１１の回転軸１２と平行な軸線回りに羽根車１１を偏心移動させて、ケーシング１０と羽根車１１との相対位置を変更することにより、遠心ファン２の吐出口のノーズ隙間を変更している点である。
【００４１】
図１５は、羽根車に取り付けたバーを動かすことにより羽根車を偏心移動させる実施例を表している。
本実施例に係る空気調和機は、遠心ファン２と、羽根車１１の中心軸から偏心させた位置に取り付けられたバー７０を備えている。
ノーズ隙間を変更する場合には、羽根車１１に取り付けたバー７０を動かすことによって、羽根車１１を偏心移動させる。
ここで、ケーシング１０は空気調和機室内ユニット１に対して固定されているため、ケーシング１０と羽根車１１との相対位置が変化し、ノーズ隙間を変更することができる。
【００４２】
図１６は、羽根車を羽根車に固定された歯車により偏心移動させる実施例を表している。
本実施例に係る空気調和機は、遠心ファン２と、羽根車１１の中心軸から偏心させた位置に固定された歯車７１と、歯車７１に外力を加えるための歯車７２を備えている。
ノーズ隙間を変更する場合には、歯車７２を回転させることにより、歯車７１の取り付けられた羽根車１１を偏心移動させる。
ここで、ケーシング１０は空気調和機室内ユニット１に対して固定されているため、ケーシング１０と羽根車１１との相対位置が変化し、ノーズ隙間を変更することができる。
【００４３】
図１７は、羽根車を給気ダクト切り替えダンパーに連動させて偏心移動させる実施例を表している。
本実施例に係る空気調和機は、遠心ファン２と、給気ダクト４a，４bを切り替えるためのダンパー５１と、ダンパー５１の回転軸に取り付けられた歯車７４と、ケーシング１０の中心軸から偏心させた位置に固定された歯車７３を備えている。
ノーズ隙間を変更する場合には、ダンパー５１を動作させることにより歯車７４が回転し、歯車７１の取り付けられた羽根車１１を偏心移動させる。
ここで、ケーシング１０は空気調和機室内ユニット１に対して固定されているため、ケーシング１０と羽根車１１との相対位置が変化し、ノーズ隙間を変更することができる。
【００４４】
本実施形態にかかる空気調和機によれば、羽根車１１を偏心移動させることにより、第１の実施形態と同様に、ファンの用途に応じた風量、静圧特性の確保、騒音の制御、省スペース化を図ることが可能である。
さらにケーシング１０は固定されているため、第３の実施形態と同様に、排気ダクト３との接続容易化、ファンの効率化を図ることが可能である。
【００４５】
〔第５の実施形態〕
次に本発明の第５の実施形態について説明する。
本実施形態にかかる空気調和機が、前述の各実施形態と異なる点は、ケーシング１０のノーズ部分１４をキャタピラ状の帯状の変形部材で構成し、そのノーズ部分８０を変形させて、ケーシング１０と羽根車１１との相対位置を変更することにより、遠心ファン２の吐出口のノーズ隙間を変更している点である。
【００４６】
図１４は、ケーシング１０のノーズ部１４を変形させる実施例を表している。
本実施例に係る空気調和機は、遠心ファン２と、キャタピラ状の帯状の変形部材で構成されたケーシング１０のノーズ部分８０と、ケーシング１０に取り付けられたラック８１と、ラック８１に対応するピニオン８２を備えている。
ノーズ隙間を変更する場合には、ピニオン８２を回転させ、ラック８１を遠心ファン２の吐出口方向または逆方向に水平移動させることにより、ケーシング１０のノーズ部分８０を変形させる。
ここで、羽根車１１は空気調和機室内ユニット１に対して固定されているため、ケーシング１０のノーズ部分８０と羽根車１１との相対位置が変化し、ノーズ隙間を変更することができる。
【００４７】
本実施形態にかかる空気調和機によれば、ノーズ部分を変形させることにより、第１の実施形態と同様に、ファンの用途に応じた風量、静圧特性の確保、騒音の制御、省スペース化を図ることが可能である。
さらにケーシング１０は固定されているため、第３の実施形態と同様に排気ダクト３との接続容易化を図ることが可能である。
【図面の簡単な説明】
【００４８】
【図１】本発明に係る空気調和機の室内ユニットの内部レイアウトを示した斜視図である。
【図２】図１の室内ユニットにおける遠心ファンと給気ホースの接続状態を表した概略図である。
【図３】図１の室内ユニットにおける遠心ファンの横断面図である。
【図４】ケーシングを電磁石にて平行移動させる場合における遠心ファンの横断面図である。
【図５】ケーシングを偏心カムにて平行移動させる場合における遠心ファンの横断面図である。
【図６】ケーシングをラックアンドピニオンにて平行移動させる場合における遠心ファンの横断面図である。
【図７】ケーシングを給気ダクト切り替えダンパーに連動させて平行移動させる場合における遠心ファンの横断面図である。
【図８】ケーシングをスライドダンパーに連動させて平行移動させる場合における遠心ファンの概略図である。
【図９】ケーシングをバーにより偏心移動させる場合における遠心ファンの横断面図である。
【図１０】ケーシングを歯車により偏心移動させる場合における遠心ファンの横断面図である。
【図１１】ケーシングを給気ダクト切り替えダンパーに連動させて偏心移動させる場合における遠心ファンの横断面図である。
【図１２】羽根車をラックアンドピニオンにて平行移動させる場合における遠心ファンの横断面図である。
【図１３】羽根車を給気ダクト切り替えダンパーに連動させて平行移動させる場合における遠心ファンの横断面図である。
【図１４】ケーシングのノーズ部を変形させる場合における遠心ファンの横断面図である。
【図１５】羽根車をバーにより偏心移動させる場合における遠心ファンの横断面図である。
【図１６】羽根車を歯車により偏心移動させる場合における遠心ファンの横断面図である。
【図１７】羽根車を給気ダクト切り替えダンパーに連動させて偏心移動させる場合における遠心ファンの横断面図である。
【図１８】各実施形態にかかる遠心ファンにおいて周波数と音圧の１／３オクターブ分析を表すグラフである。
【図１９】各実施形態にかかる遠心ファンにおいて周波数と音圧の狭帯域分析を表すグラフである。
【図２０】各実施形態にかかる遠心ファンにおいて風量と制圧の関係を表すグラフである。
【符号の説明】
【００４９】
１  空気調和機室内ユニット
２  遠心ファン
３  排気ホース
４a，４b  給気ホース
１０  ケーシング
１１  羽根車
１２  回転軸
１３  通風路
１４  ノーズ
１５  ガイド
２０  ばね
２１  磁石
２２  電磁石
３０  偏心カム
３１  帯ばね
４０  ラック
４１  ピニオン
５１  ダンパー
５２  ラック
５３  ピニオン
６１  偏心カム
６２  スライドダンパー
７０  バー
７１  歯車
７２  歯車
７３  歯車
７４  歯車
７５  ラック
７６  ピニオン
８０  キャタピラ状の帯状の変形部材で構成されたケーシング１０のノーズ部分
８１  ラック
８２  ピニオン
【図１】
2008208798.tif 000003
【図２】
2008208798.tif 000004
【図３】
2008208798.tif 000005
【図４】
2008208798.tif 000006
【図５】
2008208798.tif 000007
【図６】
2008208798.tif 000008
【図７】
2008208798.tif 000009
【図８】
2008208798.tif 000010
【図９】
2008208798.tif 000011
【図１０】
2008208798.tif 000012
【図１１】
2008208798.tif 000013
【図１２】
2008208798.tif 000014
【図１３】
2008208798.tif 000015
【図１４】
2008208798.tif 000016
【図１５】
2008208798.tif 000017
【図１６】
2008208798.tif 000018
【図１７】
2008208798.tif 000019
【図１８】
2008208798.tif 000020
【図１９】
2008208798.tif 000021
【図２０】
2008208798.tif 000022